(57)【要約】【課題】料金が安いＩＰ通信網経由の通話又は通信と、従来の一般性のある公衆電話交換網及び携帯電話通信網経由による通話又は通信を電話番号文字列入力内の識別符号によりＩＰ通信網経由か、その他の経由かを選択して交信する経済効果のある携帯端末装置とこれを用いた通信システムを提供する。【解決手段】  識別符号として「＊」又は「＃」を使用し、携帯端末装置又は構内交換機内に「＊」又は「＃」符号の有無を自動識別させて、自動的にＩＰ通信網経由か、それ以外の従来の通信網を経由するかを選択して交信させる手段を備える。【選択図】図３
2007329764.tif 000002
【特許請求の範囲】
【請求項１】
第１の通信回線及び第２の通信回線に接続するための通信接続手段と、
通話又は通信先を特定するための１乃至９、０、＊、及び＃を含む文字から選択して文字列を入力する入力手段と、を少なくとも備える携帯端末装置であって、
前記入力手段で入力された文字列の所定数内に含まれる＊又は＃の有無によって、前記通信接続手段は前記第１又は第２の通信回線のいずれか一方を選択して通話又は通信先の端末装置と接続することを特徴とする携帯端末装置。
【請求項２】
前記第１の通信回線は公衆電話交換網又は携帯電話通信網であり、前記第２の通信回線はインターネットプロトコルを用いたＩＰ通信網であって、そのＩＰ通信網上に設けられた通信接続のための交換機には予め該ＩＰ通信網に接続される端末装置を特定するためのＩＤ及びＩＰアドレスが少なくとも登録されることを特徴とする請求項１に記載の携帯端末装置。
【請求項３】
前記文字列の所定数内に含まれる＊又は＃は、該文字列の先頭に位置することを特徴とする請求項１に記載の携帯端末装置。
【請求項４】
前記第１の通信回線を用いて送受信する第１の通信手段と、
前記第２の通信回線を用いて送受信する第２の通信手段と、を更に備えることを特徴とする請求項１又は２に記載の携帯端末装置。
【請求項５】
前記第１又は第２の通信手段のいずれか又は両方を、携帯端末装置本体に着脱可能なモジュール形態として組み込むことを特徴とする請求項４に記載の携帯端末装置。
【請求項６】
携帯端末装置から送信された文字列より通話又は通信先の通信端末装置を特定し通話又は通信を中継する交換機を有し、
前記交換機は、前記携帯端末装置から送信された文字列の所定数内に＊又は＃が含まれる場合にインターネットプロトコルを用いたＩＰ通信網により中継する中継手段を備え、そのＩＰ通信網上に設けられた通信接続のための前記交換機には予め該ＩＰ通信網に接続される前記携帯端末装置を特定するためのＩＤ及びＩＰアドレスが少なくとも登録されることを特徴とする通信システム。
【請求項７】
前記中継手段は、公衆電話交換網又は携帯電話通信網を選択して中継する機能を更に備え、
前記携帯端末装置から送信された文字列の所定数内に含まれる＊又は＃の有無によって、前記ＩＰ通信網、公衆電話交換網、又は携帯電話通信網のいずれかを選択して通話又は通信先の通信端末装置に中継することを特徴とする請求項６に記載の通信システム。
【発明の詳細な説明】
【技術分野】
【０００１】
本発明は、携帯端末装置により通信網を経由して通話或いは通信（ビデオ画像等を含む）を行うに際し、その携帯端末装置から発信される電話番号を「＊」や「＃」等の特殊文字を含む文字列にすることにより、その携帯端末装置或いはその構内交換機は、この特殊文字を含む文字列を識別し、その特殊文字を含む場合はインターネットプロトコルを用いたＩＰ通信網に接続して所謂ＩＰ電話による通話或いは通信を行わせ、その特殊文字を含まない場合は公衆電話交換網又は携帯電話通信網に接続して一般の通話或いは通信を行わせる携帯端末装置とこれを用いた通信システムに関する。
【背景技術】
【０００２】
ＩＰ電話により通話するには、一般に以下のような手順による
（１）音声アナログ情報をＩＰパケットにしなければならないので、発信側のＩＰ電話機は音声をデジタル情報に変換し、そのデジタルデータをＩＰパケット化する機能を設け、発信側のＶｏＩＰゲートウェイ（Ｖｏｉｃｅ  Ｏｖｅｒ  ＩＰ  ＧＷ）の機能によりＩＰパケット化される。
（２）次に、そのＩＰパケット化された音声情報は、インターネットプロトコルを用いたＩＰ通信網に送信され、その網上にあるＩＰ電話企業等のＳＩＰ（Ｓｅｓｓｉｏｎ  Ｉｎｉｔｉａｔｉｏｎ  Ｐｒｏｔｏｃｏｌ）サーバ等によりＩＰパケットの宛先ＩＰアドレスが見出され、そこに転送される。
（３）次に、ＩＰパケットが通信先のＶｏＩＰゲートウェイで受信されると、通信先のＩＰ電話機によりＩＰパケットの音声情報が（１）とは逆の処理がなされ、アナログ化されて音声となりＩＰ電話機に着信する。
上記のＩＰ電話機に関する詳細、特にＶｏＩＰ技術に関しては、非特許文献１に記載されている。
【０００３】
しかしながら、最近の上記のようなＩＰ通信網による通話と、従来の公衆電話交換網或いは携帯電話通信網による通話とはそれぞれ特徴がある。
ＩＰ通信網経由では低料金が実現できるが、固定電話や携帯電話、ＰＨＳからＩＰ電話機への発信ができないこともあるし、警察（１１０番）や消防（１１９番）への緊急通話ができないこともある。また、様々なレベルでの相互接続性の確保の問題もある。一社内だけで利用する法人向けＩＰ接続サービスが実現できても、相互接続の問題は残される。
【０００４】
【非特許文献１】Ｉｎｔｅｒｆａｃｅ、ＣＱ出版社、２００３年６月
【発明の開示】
【発明が解決しようとする課題】
【０００５】
そこで、本発明は、（ａ）ＩＰ通信網と（ｂ）公衆電話交換網及び携帯電話通信網とをキー入力する際の電話番号列に「＊」又は「＃」を有するか否かにより自動的に以下のように選択される。「＊」又は「＃」が有れば料金の安い或いは無料で通話又は通信できる（ａ）ＩＰ通信網を選択し、「＊」及び「＃」が無ければ従来料金の（ｂ）公衆交換網か携帯電話通信網を選択できる携帯電話端末装置を提供することを目的とする。
また、その携帯端末装置を用いた通信システムを提供することを目的とする。
【課題を解決するための手段】
【０００６】
上記目的を達成するため、請求項１に記載の発明による携帯端末装置は、第１の通信回線及び第２の通信回線に接続するための通信接続手段と、通話又は通信先を特定するための１乃至９、０、＊、及び＃を含む文字から選択して文字列を入力する入力手段と、を少なくとも備える携帯端末装置であって、前記入力手段で入力された文字列の所定数内に含まれる＊又は＃の有無によって、前記通信接続手段は前記第１又は第２の通信回線のいずれか一方を選択して通話又は通信先の端末装置と接続することを特徴とする。
また、請求項２に記載の発明による前記第１の通信回線は公衆電話交換網又は携帯電話通信網であり、前記第２の通信回線はインターネットプロトコルを用いたＩＰ通信網であって、そのＩＰ通信網上に設けられた通信接続のための交換機には予め該ＩＰ通信網に接続される端末装置を特定するためのＩＤ及びＩＰアドレスが少なくとも登録されることを特徴とする。
また、請求項３に記載の発明による前記文字列の所定数内に含まれる＊又は＃は、該文字列の先頭に位置することを特徴とする。
また、請求項４に記載の発明は、前記第１の通信回線を用いて送受信する第１の通信手段と、前記第２の通信回線を用いて送受信する第２の通信手段と、を更に備えることを特徴とする。
また、請求項５に記載の発明は、前記第１又は第２の通信手段のいずれか又は両方を、携帯端末装置本体に着脱可能なモジュール形態として組み込むことを特徴とする。
【０００７】
また、上記目的を達成するため、請求項６に記載の発明による通信システムは、携帯端末装置から送信された文字列より通話又は通信先の通信端末装置を特定し通話又は通信を中継する交換機を有し、前記交換機は、前記携帯端末装置から送信された文字列の所定数内に＊又は＃が含まれる場合にインターネットプロトコルを用いたＩＰ通信網により中継する中継手段を備え、そのＩＰ通信網上に設けられた通信接続のための前記交換機には予め該ＩＰ通信網に接続される端末装置を特定するためのＩＤ及びＩＰアドレスが少なくとも登録されることを特徴とする。
また、請求項７に記載の発明による前記中継手段は、公衆電話交換網又は携帯電話通信網を選択して中継する機能を更に備え、前記携帯端末装置から送信された文字列の所定数内に含まれる＊又は＃の有無によって、前記ＩＰ通信網、公衆電話交換網、又は携帯電話通信網のいずれかを選択して通話又は通信先の通信端末装置に中継することを特徴とする。
【発明の効果】
【０００８】
本発明の携帯端末装置とこれを用いた通信システムによれば、以下に示す効果を奏する。
社内等の構内交換機（「＊」又は「＃」を識別する機能を有するＩＰ−ＰＢＸ）を用いて、通話又は通信を行う際に、携帯端末の使用者は相手先或いはその要件等により低料金又は無料のＩＰ回線網経由で相手先端末に接続するか、従来の公衆電話交換網又は携帯電話通信網経由で相手先端末に接続するかを自由に選ぶことができるので、その使用者の会社としては通信コストを低減できる効果がある。
１１０番、１１９番等の緊急通話発信がいつでも可能であり、地震等の緊急時にも対応できる効果はその使用者や会社にとっても大である。
上述のように一社内だけで利用されている法人向けＩＰ接続サービスが実現している場合で、他社との相互接続ができない場合でも、ＩＰ回線網を使用せず従来の回線網による接続をその都度行って通話又は通信できるので、その会社にとって企業活動に占める効果は大きい。
【発明を実施するための最良の形態】
【０００９】
以下、本発明の携帯端末装置とこれを用いた通信システムを実施するための最良の形態について図を参照して以下に説明する。
図２は、実施例１による携帯端末装置の構成図であり、図１は、その携帯端末装置を用いた通信システムの実施例を示したものである。
図４は、実施例２による携帯端末装置の構成図であり、図３は、その携帯端末装置を用いた通信システムの実施例を示したものである。
図１、図２は、各携帯端末装置が、個人或いは個人商店や個人企業の用途に適用された場合である。又は企業が構内交換機を使用していない場合の図である。
図３、図４は、各携帯端末装置が、企業毎に構内交換機（「＊」又は「＃」を識別するＩＰ−ＰＢＸ）で接続している場合である。その接続はＬＡＮケーブルか、無線ＬＡＮで行われ、混在していてもよい。
【実施例１】
【００１０】
以下、先ず、図１、図２を参照して説明する。
図１において、１は携帯端末装置を示しており、１０は公衆電話交換網及び携帯電話通信網（第１の通信回線）を示している。
２０はＴＣＰ／ＩＰ等のインターネットプロトコルを用いたＩＰ通信網（第２の通信回線）を示しており、３０はＩＰ電話事業者や企業内等に設けられたＳＩＰサーバを示している。ＳＩＰサーバ３０は、ＩＰパケットの宛先ＩＰアドレス、パスワード等を検出して、そのＩＰアドレスへ転送する機能を有する。
尚、本実施形態では、企業内等の電話回線とＩＰ通信網を統合するＶｏＩＰのプロトコルに、ＳＩＰによるＳＩＰサーバを用いているが、呼制御プロトコルとしては、ＳＩＰの他に、Ｈ３２３、オープンソースの「Ａｓｔｅｒｉｓｋ」で用いられているＩＡＸ（Ｉｎｔｅｒ−Ａｓｔｅｒｉｓｋ  ｅＸｃｈａｎｇｅ）、ＳＣＣＰ（ｓｋｉｎｎｙ  ｃｌｉｅｎｔ  ｃｏｎｔｒｏｌ  ｐｒｏｔｐｃｏｌ）等があり、これらの他のプロトコルによるＶｏＩＰサーバを用いることも勿論可能である。
【００１１】
図１において、２点鎖線は携帯端末装置１から発信する通話又は通信（画像データを含む場合もある）の流れを示しており、図１に示す携帯端末装置１の詳細な構成図を図２に示す。
図２において、（ａ）は構成例１を示し、（ｂ）はモジュール着脱式の構成例２を示す。図２（ａ）は中央制御部ＣＰＵを中心に内部バスにより少なくとも、記憶部１ｋ、入力装置部１ｇ、表示部１ｈ、通信回線との接続回路部１ｎ（ブロードバンドモデム等を含む）等が接続されている。
【００１２】
また、図２（ａ）のＣＰＵは、入力装置部１ｇからの入力信号に対応し、即ち、「１〜９」、「０」、「＊」、及び「＃」を含む文字から利用者によって選択され入力された文字列を読み込む入力手段１ａと、第１及び第２の通信回線に接続するため、接続回路部１ｎへ出力する通信接続手段１ｂと第１の通信回線との送受信のため第１の通信手段１ｃ−１及び第２の通信回線との送受信のため第２の通信手段１ｃ−２を備える。携帯端末装置１の通信手段１ｃ−１、１ｃ−２としては、有線、無線のどちらでも使用可能であり、無線の場合は携帯電話、ＰＨＳ、無線ＬＡＮを搭載した電話機等や、これらを組み合わせた多様な形態が可能である。
【００１３】
一方、図２（ｂ）はモジュール着脱可能な組込機構及びそのインタフェース１ｍが追加されている。そのモジュール１ｍ−１、１ｍ−２の、それぞれ１ｃ−１、１ｃ−２に相当する通信手段を１ｃ−１ｍ、１ｃ−２ｍとする。
即ち、図２（ｂ）は、モジュール１ｍ−１、１ｍ−２を組込機構及びインタフェース１ｍの挿入部に入れてあれば、ＣＰＵはモジュール形態の第１の通信手段１ｃ−１ｍ、第２の通信手段１ｃ−２ｍを読み込み作動させる。携帯端末装置１へのモジュール形態の組み込みは、モジュール１ｍ−１、１ｍ−２のいずれか一方でもよく、必要に応じて挿入すればよい。図２（ｂ）に示す携帯端末装置１の通信手段１ｃ−１ｍ、１ｃ−２ｍを実現するモジュール形態も、図２（ａ）の場合と同様、有線、無線のどちらでも可能であり、無線の場合は携帯電話、ＰＨＳ、無線ＬＡＮ等をモジュール形態にすることが可能である。
【００１４】
図１に戻り、携帯端末装置１は、それぞれ第１の通信回線と、外線ケーブルにより第２の通信回線とに接続されるが、実際に通話或いは通信を行うには、先ず、入力装置部１ｇから電話番号がキー入力されると、その発信番号をＣＰＵに読込む。その文字列に「＊」及び「＃」符号文字がなければ、ＣＰＵは通信接続手段１ｂにより、通信回線接続回路部１ｎ内部で第１の通信回線と接続させ、次にＣＰＵは通信手段１ｃ−１を経由して通信先と通話或いは通信を行う手順となる（尚、図１では着信する通信先は示していない）。
一方、文字列中に「＊」又は「＃」符号文字があれば、ＣＰＵは通信接続手段１ｂにより通信回線接続回路部１ｎの内部で第２の通信回線と接続させ、次にＣＰＵは通信手段１ｃ−２により、第２の通信回線（実施例ではＩＰ通信回線網）を経由して通信先と通話或いは通信を行う手順となる（通信先の流れは示していない）。
利用者は、例えば、第１の通信回線（携帯電話通信網）を使用する場合は「０９０１２３４５６７８」と１１桁の数字からなる電話番号を入力し、第２の通信回線（ＩＰ通信網）を使用する場合は、「＊０９０１２３４５６７８」のように１１桁の電話番号の先頭に「＊」を加えた文字列を入力する。
尚、初めてＩＰ回線網を使用するときは、予めその網上のＩＰ電話事業者や企業内等に設けられたＳＩＰサーバ３０に端末装置の電話番号等を登録する必要がある。
【実施例２】
【００１５】
次に、図３、図４を参照して説明する。この場合は企業等に、それぞれ構内交換機５０（「＊」又は「＃」を識別するＩＰ−ＰＢＸ）が配設されている場合である。
尚、図示していないが、構内交換機５０がある企業等や、構内交換機５０のない個人、企業等が混在していてもよい。
【００１６】
図３において、図１と同じ符号は同一機能として説明を省略する。
図３で、２は携帯端末装置であり、５０は「＊」或いは「＃」を識別するＩＰ−ＰＢＸ、即ち構内交換機である。５０ｚはルータ機能及びハブ機能を有するブロードバンド（広帯域）ルータ・ハブであり、５０ａはそのブロードバンドルータ・ハブとＬＡＮケーブルによって接続された無線ＬＡＮアクセスポイントを示す。携帯端末装置２としては、ＬＡＮケーブルによる有線接続による端末装置、又は無線ＬＡＮアクセスポイント５０ａと接続する無線ＬＡＮ機能を内蔵した端末装置、或いは両方を備えるいずれの形態でも可能である。
【００１７】
図４は、携帯端末装置２と構内交換機５０の詳細な構成図を示している。
図４において、（ａ）は携帯端末装置２、（ｂ）は構内交換機５０であり、図示していないが、携帯端末装置２は、それぞれ図２（ｂ）に示すようなモジュール着脱式であってもよい。
【００１８】
図４（ａ）おいて、ＣＰＵは装置２を制御する中央制御部、２ｇは入力装置部、２ｈは表示部、２ｋは記憶部、２ｎは無線ＬＡＮ送受信回路とその送受信アンテナ、２ｚは構内交換機５０と接続するためのＬＡＮケーブル端子である。これらは内部バスによりＣＰＵと接続されている。そのＣＰＵは入力装置部２ｇから文字列を読込む入力手段２ａと、次に転送する文字列転送手段２ｄがある。転送手段２ｄは、読み込んだ文字列を無線ＬＡＮ送受信回路２ｎへ送るか、又はＬＡＮ接続ケーブル端子２ｚのいずれか一方へ送信する。即ち、無線ＬＡＮ送受信回路２ｎ又はＬＡＮ接続ケーブル端子２ｚを経由して構内交換機５０に接続させる。ＬＡＮケーブルに接続するか又はマイクロ波送受信アンテナによる交信手段２ｄである。
【００１９】
一方、図４（ｂ）において、ＣＰＵは構内交換機５０を制御する中央制御部、５０ｇは入力装置部、５０ｈは表示部、５０ｋは記憶部、５０ｎは第１又は第２の通信回線との接続回路部（ブロードバンドルータ及びモデム等を含む）である。
５０ｚはブロードバンドルータ、ハブであり、複数のＬＡＮケーブル端子を有し、そのＬＡＮケーブル端子は、直接携帯端末装置２と端子２ｚを介して接続し、さらに、そのＬＡＮケーブル端子の一つは、無線ＬＡＮアクセスポイント５０ａを経由して複数の携帯端末装置２とマイクロ波帯で接続できる。それぞれその企業内の端末使用状態に対応して、その構内の有線、無線の交信数を定めればよい。
【００２０】
さらに、構内交換機５０のＣＰＵは、以下の通信接続手段５０ｘ、通信手段５０ｙを少なくとも有する。通信接続手段５０ｘは、第１及び第２の通信回線への通信接続手段（通信に関する各種条件設定等を含む）であり、通信手段５０ｙは、第１及び第２の通信回線による送受信通信手段である。
【００２１】
図３に戻り、この通信システムを説明する。
図３における携帯端末装置２は、それぞれの企業や工場等毎の単位で、図のように構内交換機５０に管理制御されている。
図示するように、構内交換機（「＊」又は「＃」を識別するＩＰ−ＰＢＸ）５０は、その管理下に置く携帯端末装置２を無線ＬＡＮのマイクロ波帯を用いた電磁波によって接続してもよい。或いはＬＡＮケーブルによって直接接続されていてもよい。一例として無線ＬＡＮ電磁波を←→で示し、ＬＡＮを＝＝で示してある。
【００２２】
構内交換機５０と複数の携帯端末装置２との接続部は、例えば、ブロードバンドルータ・ハブ５０ｚ等を使用し、その構内交換機５０と外部通信網１０、２０等との接続部には、さらにブロードバンドモデム等が含まれる。
また、携帯端末装置２の数が多く、さらに建屋がビルディングで各階層に移動しているときは、無線ＬＡＮアクセスポイント５０ａを複数個配置しても良い。携帯端末装置２は、無線ＬＡＮで接続することになる。
【００２３】
この通信システムにおいて、携帯端末装置２のいずれかが、初めてＩＰ通信網（第２の通信回線）を使用するときは、接続される構内交換機５０に接続されるＳＩＰサーバ３０に、前述のように使用する携帯端末装置２を登録しておく必要がある。尚、構内交換機５０はＳＩＰサーバ３０の機能と重複する機能部分を有しているので、ＳＩＰサーバ３０と構内交換機５０とを一体に組み込んでも勿論構わない。
【００２４】
図３の通信システムの動作は以下のようになる。
携帯端末装置２の入力装置部２ｇから通信先の電話番号を入力すると、ＣＰＵは入力手段２ａにより、その文字列を読み込む。利用者はＩＰ通信網（第２の通信回線）２０を経由させたい場合、その文字列に「＊」或いは「＃」を含ませる（尚、その「＊」又は「＃」は、文字列の先頭の位置に付することにしておいても良いし、どちらか一方を使用するようにしても勿論構わない。）。
その文字列を読み込んだＣＰＵは、文字列転送手段２ｄにより、無線ＬＡＮ送信回路及びアンテナ２ｎ、又はＬＡＮ接続ケーブル端子２ｚを介して、構内交換機５０へその文字列を送る。
【００２５】
一方、構内交換機５０のＣＰＵは、文字列受信手段５０ｄにより、この文字列をルータ・ハブ５０ｚから読み込み、その発信元と通信先を調べて記録する。尚、ブロードバンドルータ・ハブ５０ｚは、その信号を複数の携帯端末装置２からのマイクロ波を受信する無線ＬＡＮアクセスポイント５０ａを介して受信するか、或いは複数の携帯端末装置２とのＬＡＮ接続ケーブル端子から受信する。
【００２６】
次に、ＣＰＵはその文字列を調べ、「＊」或いは「＃」がある場合は、第１及び第２の通信回線への通信接続手段５０ｘにより、第２の通信回線（ＩＰ通信網２０）へ接続するように設定される。次に、第１及び第２の通信回線による送受信通信手段５０ｙにより、第２の通信回線２０を選択し、その回線を経由して通話又は通信が行えるようにする。
【００２７】
一方、文字列に「＊」及び「＃」が含まれない場合は、通信接続手段５０ｘにより第１の通信回線（公衆電話回線網、携帯電話通信網のいずれか）１０が選択され、次に第１及び第２の通信回線による送受信通信手段５０ｙによって、第１の通信回線１０を選択経由して通話又は通信が行えるようにする。尚、送受信通信手段５０ｙは、公衆電話回線網、及び携帯電話通信網へ接続するための通信手段であり、アナログ−デジタル変換機能、符号変換機能や携帯電話通信網と接続するための通信変換手段等を有している。
【００２８】
図３に示す２点鎖線は、構内交換機５０が読み込んだ文字列に「＊」或いは「＃」が有るか無いかを検出して「＊」或いは「＃」があれば第２の通信回線（ＩＰ通信網）２０へ信号が流れ、「＊」及び「＃」が無ければ、第１の通信回線１０へ信号が流れる発着信信号の流れを示している。但し、本実施形態では、着信に関する説明は省略する。
実施例２の場合も実施例１と同様、利用者は、例えば、第１の通信回線（携帯電話通信網）を使用する場合は「０９０１２３４５６７８」と入力し、第２の通信回線（ＩＰ通信網）を使用する場合は、「＊０９０１２３４５６７８」のように入力する。このとき、図３に示すように、相手先の携帯通信端末２も、無線ＬＡＮ機能を備え、「＊」を識別する構内交換機５０に登録され接続されていれば、第１の通信回線（携帯電話通信網）を経由せずにＩＰ通信網のみを経由して接続することができる。
【図面の簡単な説明】
【００２９】
【図１】本発明の実施例１による携帯端末装置を用いた通信システムの構成図である。
【図２】本発明の実施例１による携帯端末装置の構成図である。
【図３】本発明の実施例２による携帯端末装置及び構内交換機を用いた通信システムの構成図である。
【図４】本発明の実施例２による携帯端末装置及び構内交換機の構成図である。
【符号の説明】
【００３０】
１、２    携帯端末装置
１ａ    入力手段
１ｂ    通信接続手段
１ｃ    通信手段
１ｃ−１ｍ    モジュール形態の第１の通信手段
１ｃ−２ｍ    モジュール形態の第２の通信手段
１ｍ    モジュール着脱可能の組み込み機構とインタフェース
２ａ    読込手段
２ｄ    転送手段
１ｇ、２ｇ、５０ｇ    入力装置部
１ｈ、２ｈ、５０ｈ    表示部
１ｋ、２ｋ、５０ｋ    記憶部
１ｎ    接続回路部
２ｎ    無線ＬＡＮ送受信回路及びアンテナ
２ｚ    ＬＡＮ接続ケーブル端子
１０    公衆電話交換網及び携帯電話通信網
２０    インターネットプロトコルを用いるＩＰ通信網
３０    ＩＰ電話企業のＳＩＰサーバ
５０    構内交換機（「＊」又は「＃」符号識別可能のＩＰ−ＰＢＸ）
５０ａ    無線ＬＡＮアクセスポイント
５０ｄ    文字列受信手段
５０ｘ    第１、第２の通信回線への通信接続手段
５０ｙ    第１、第２の通信回線による送受信通信手段
５０ｎ    通信回線接続回路部
５０ｚ    ブロードバンドルータ・ハブ（ＬＡＮケーブル端子：無線ＬＡＮアクセスポイント５０ａに接続）
【図１】
2007329764.tif 000003
【図２】
2007329764.tif 000004
【図３】
2007329764.tif 000005
【図４】
2007329764.tif 000006